(57)【要約】      （修正有）【課題】折り畳み式携行バッグでありながら、必要な際は着用し、着用者の情報を第三者から視覚認識出来る袖無し胴衣を提供する。【解決手段】本体身ごろ平面上に設けられた開口部に逆側の身ごろをたくし込み、開口可能接合部３を接合することで、エコバッグに変形する袖無し胴衣であり、折りたたんだ状態を保持する構造を有し携行性に優れる。【選択図】図１
0003222900.tif 000002
【実用新案登録請求の範囲】
【請求項１】
本体身ごろ平面上に設けられた開口部に逆側の身ごろをたくし込み、着脱可能接合部を接合することで、バッグに変形する構造を持つ袖無し識別胴衣。
【考案の詳細な説明】
【技術分野】
【０００１】  本考案は、平時は折り畳み式エコバッグであり、災害等の緊急時には要援護者が着用することで、支援者からの識別を容易にして、災害弱者の支援に資する袖無し胴衣に関するものである。
【背景技術】
【０００２】  エコバッグは、普及率が８０％超となったが、買い物袋としての利用が中心であり、耐久性・携行性・大きさ、デザイン性等で様々な製品が発売されているものの、災害発生時に対応する製品は防災頭巾を兼ねた程度である。特に災害弱者を支援することを目的とした製品は皆無に等しい。
要援護者に、災害発生時に識別を目的として、着用が推奨されている袖無し胴衣はあったが、日常の外出時に携行できる構造や、日常で使う用途のある製品は皆無であった。
従来、特許２０１０−０１３７８１、実願２０１３−００４０４９号のような袖無し胴衣に変形するエコバッグはあった。
【先行技術文献】
【０００３】
【特許文献１】特許２０１０−０１３７８１
【非特許文献】
【非特許文献】実願２０１３−００４０４９
【考案が解決しようとする課題】
【０００４】  しかしこれには次のような欠点があった。
（イ）特開２０１０−０１３７８１では底面部分を、実願２０１３−００４０４９では前後の身ごろの側面上部から底面を通って反対側の側面上部に至るまでをコの字型に、それぞれ開口式着脱可能接合部品としてファスナーを使っており、どちらも底面部を形成する構造がファスナーであるため、小石や砂ぼこりを噛みやすく、潤滑性を失い、ファスナーが破損しやすい。
（ロ）特開２０１０−０１３７８１、実願２０１３−００４０４９はバッグとして使用する際、ファスナーの接合不良で底面が意図せず開き、内容物が落下、紛失や破損、汚損を招く恐れがある。
（ハ）実願２０１３−００４０４９はファスナーの接合距離が長いため、ファスナーの使用量が多くなり製品が嵩張り、重く、高額になる。
（ニ）特開２０１０−０１３７８１、実願２０１３−００４０４９は袖無し胴衣の状態にした時に袋状収納部分が無くなるため、中に入れていたものを収納できなくなる。
（ホ）支援者が本考案の袖無し胴衣着用者の窮状を識別するための情報は、障害の具体的な内容などデリケートな問題であり、非常時以外は着用者の心情的に公にすることを望まない事柄である事が多いが、特開２０１０−０１３７８１、実願２０１３−００４０４９では印刷面が露呈してしまう。これを避けるために本体の裏面に印刷を施し、リバーシブルとして着用することも可能ではあるが、この場合、裏面から表面に印刷が布地を浸透しやすく、バッグの状態からも容易に判読し得る。
（ヘ）特開２０１０−０１３７８１、実願２０１３−００４０４９では小さくたたみ、その形状を保持する構造がなく、携行しにくいため持ち歩きを習慣化しにくく、いつ起きるか分からない地震等の災害時など必要な場面で手元に無い可能性が高い。
【課題を解決するための手段】
【０００５】  長方形の本体生地の中ほどに頭を通すための穴（Ａ）を設け、下部を（Ｃ）の位置まで折り返し、（Ｄ）と（Ｄ´）、（Ｅ）と（Ｅ´）を縫製等の手段でそれぞれ結合し、袋状部分を作ることをもって製品とする。エコバッグとして使用する際は上部を（Ｂ）の位置で折り返して袋状部内にたくし込み、（３）、（３´）の位置に設けたファスナー等の着脱可能接合部品で接合させる。袖無し胴衣として着る際は（３）の開口式着脱可能接合部を外し、開口したの袋状部内から（２）を引き出す。
【考案の効果】
【０００６】  前後身ごろの底面でのファスナーを用いた袋形成を廃し、開口式着脱可能接合部が（３）の位置にする事で砂等を噛む確率を低下させ、接合不良が抑えられ、底部の強度が上がる。開口式着脱可能接合距離を短くすることでファスナー等の開口式着脱可能接合部品の使用量を減らすことができ、製品を低価格に抑えることができる。又、畳む際にかさばるファスナーが少ないことは製品が小さく畳め、軽量にできることにつながり、携行性の向上になる。袋状部分は独立しているので、袖無し胴衣に変形させた状態でも袋状部分が残り、内容物を収納し続けられる。バッグ状態では識別情報は表面や裏面でなく布一枚越しになるため、平時に意に反した場面で望まぬ相手からの判読が抑制される。
【図面の簡単な説明】
【０００７】
【図１】    本考案の袋状態の正面図である。
【図２】    本考案の袋状態の背面図である。
【図３】    本考案のバッグ使用時の断面図である。
【図４】    本考案のベスト使用時の断面図である。
【図５】    本考案のバッグ使用時から開口式着脱可能接合部を開け、表示部を引き出す途中の状態である。
【図６】    本考案の表示部を完全に引き出し、ベスト使用可能にした状態である。
【図７】    本考案をベストとして着用した前面の状態である。
【図８】    本考案をベストとして着用した背面の状態である。
【図９】    本考案を畳み、携行可能にした状態である。
【図１０】    本考案の袋部の構造を作る前の外面側の展開図である
【図１１】    本考案の袋部の構造を作る前の内面側の展開図である。
【考案を実施するための形態】
【０００８】    頭を通す穴を設けた本体生地（１）に開口式着脱可能接合部（３）を設け、表示部生地（２）を縫製等で接合する。
【実施例】
【０００９】    以下、本考案の実施例について説明する。
バッグとしての使用には、前面にファスナー等で実現させた開閉式着脱可能接合部を閉じ合わせ、バッグの形態にする。袖無し胴衣として着用するには、開口式着脱可能接合部を開き、表示部生地を引き出すことで表示部生地に施された任意の図案や文字を露出させ、本体生地の首を通す穴に頭部をくぐらせて着用する。図７，８の左右脇部に施された（４）のような側面接合帯を設けることで着崩れを予防することが可能である。接合帯は左右それぞれの前後に別個に設けることで結び合わせることができるが、バッグの状態の時に不要な帯が表面に長く露出してしまうため、帯はバッグ状態の時に収納される表示部生地（２）のみに設け、図内５，６の位置にホックなどの接合パーツを設け実現させることが望ましい。
【産業上の利用可能性】
【００１０】本考案のエコバッグになる識別袖無し胴衣は、災害時に弱者となる障害者が着ることで窮状等の情報を「見える化」させ、周囲の適切なフォローを得ることができ、また、エコバッグとしての用途があることで平時から持ち歩く目的があり、また、小さくたためんだ状態を保持でき邪魔にならないため、持ち歩きを習慣化させ易いものである。構造が簡易なため、設備の性能や技術力の高くない福祉作業所でも縫製でき、障害者の雇用を生む効果もある。
【符号の説明】
【００１１】      １  本体生地
２  表示部生地
３  開口可能接合部
４  側面接合帯
５  接合部材凸
６  接合部材凹
７  折り畳み収納ポケット
Ａ  頭部通し穴
Ｂ  上部折り返し位置
Ｃ  下部折り返し位置
Ｄ  縫製等での接合部
Ｄ´縫製等での接合部
Ｅ  縫製等での接合部
Ｅ´縫製等での接合部
【図１】
0003222900.tif 000003
【図２】
0003222900.tif 000004
【図３】
0003222900.tif 000005
【図４】
0003222900.tif 000006
【図５】
0003222900.tif 000007
【図６】
0003222900.tif 000008
【図７】
0003222900.tif 000009
【図８】
0003222900.tif 000010
【図９】
0003222900.tif 000011
【図１０】
0003222900.tif 000012
【図１１】
0003222900.tif 000013